(57)【要約】【課題】床パネルの曲げ剛性を高めることができ、且つ、衝撃加振時の振動エネルギーを減衰させて床衝撃音レベルを向上させることができるようにすること。【解決手段】スラブＳの上面側に所定間隔を隔てた位置に床パネル１０を配置して二重床が形成されている。床パネル１０は、複数枚の下地パネル１３と、その上面に敷設された仕上げパネル１４とにより構成されている。各下地パネル１３は、隣り合う位置の下地パネル１３と相互に係合し合うように形成されている。各下地パネル１３のパネル面に略直交する端面には、一定の隙間Ｓ１が設けられている。【選択図】　　　　　図２
2004060204.tif 000002
【特許請求の範囲】
【請求項１】
スラブ上に所定間隔を隔てて配置される複数枚の下地パネルを含む床パネルを備えた二重床構造であって、
前記各下地パネルのパネル形状は、隣り合う位置の下地パネルと相互に係合し合う対応形状に設けられ、パネル面と略直交する端面間に一定の隙間を設けたことを特徴とする二重床構造。
【請求項２】
スラブ上に所定間隔を隔てて配置される複数枚の下地パネルを含む床パネルを備えた二重床構造であって、
前記各下地パネルの端部間に掛け渡される連結部材を取り付け、パネル面と略直交する端面間に一定の隙間を設けたことを特徴とする二重床構造。
【請求項３】
前記各下地パネルは、略相じゃくり構造により相互に係合することを特徴とする請求項１記載の二重床構造。
【請求項４】
前記各下地パネルは、前記隙間に跨がる片部材により連結されることを特徴とする請求項２記載の二重床構造。
【発明の詳細な説明】
【０００１】
【発明の属する技術分野】
本発明は、二重床構造に係り、特に、床パネルの曲げ剛性を高めて躯体に伝播する床衝撃音を低減することのできる二重床構造に関する。
【０００２】
【従来の技術】
従来より、コンクリート製のスラブ等からなる躯体の上面側に一定の空間を形成するように床パネルを配置した二重床が知られている。この二重床を形成する場合、スラブ上に所定間隔を隔てて設置された防振支持具上に複数枚の下地パネルを配置した後、当該下地パネルの上面にフローリング等の仕上げパネルを設置する形態が存在する。各下地パネルは、周りに位置する他の下地パネルとの間に隙間を介して配置されるとともに、仕上げパネルを介して上面側で相互に連結されるようになっている。
【０００３】
【発明が解決しようとする課題】
しかしながら、このような二重床にあっては、前記隙間の下側が開放する形態となるため、床パネルに衝撃が加えられたときに、隙間の幅が大きく拡がって床パネルが撓み易くなるという不都合がある。このため、衝撃加振時における床パネルの振動速度が増大し、床衝撃音レベルを抑制することが困難となるばかりでなく、歩行感が悪化するという不都合を招来する。
【０００４】
ここで、二重床を形成する構造としては、図１４に示されるように、支持具５０，５０間に延びて下地パネル５１の端部領域を支持する連結部材５２を備えたタイプのものが存在する。この連結部材５２は、支持具５０，５０間に掛け渡される角柱部材５４と、この角柱部材５４の下面側に設けられて下地パネル５１を下面側から支える板部材５５とを備えている。角柱部材５４は、下地パネル５１の板厚と略同一の高さを備えており、下地パネル５１を板部材５５上に設置したときに、下地パネル５１の上面と角柱部材５４の上端面とが略面一となり、各下地パネル５１間の隙間が角柱部材５４により充填されるようなっている。
【０００５】
しかしながら、このような二重床にあっては、各下地パネル５１と角柱部材５４とにより、恰もフラットな一枚のパネルを形成するようになり、このため、下地パネル５１相互間における断面形状の変化が乏しくなる。従って、床パネル全体としての音響インピーダンスが不連続になり難くなり、これにより、下地パネル５１間を伝播する振動エネルギーの減衰を十分に得ることができず、床衝撃音の低減を図ることが困難になるという不都合がある。
【０００６】
【発明の目的】
本発明は、このような不都合に着目して案出されたものであり、その目的は、床パネルの曲げ剛性を高めることができ、且つ、床パネルの衝撃が加えられたときの振動エネルギーを低減して床衝撃音レベルを向上させることができる二重床構造を提供することにある。
【０００７】
【課題を解決するための手段】
前記目的を達成するため、本発明は、スラブ上に所定間隔を隔てて配置される複数枚の下地パネルを含む床パネルを備えた二重床構造であって、
前記各下地パネルのパネル形状は、隣り合う位置の下地パネルと相互に係合し合う対応形状に設けられ、パネル面と略直交する端面間に一定の隙間を設ける、という構成を採っている。このような構成によれば、各下地パネルが相互に係合し合うため、衝撃時における前記隙間の拡がりを防止して床パネル全体の曲げ剛性を高めることができ、これにより、衝撃加振時の振動速度を低下させて床衝撃音を効果的に抑制することが可能となる。しかも、各下地パネル間に隙間が確保されるので、各下地パネル間で床パネルの音響インピーダンスが不連続となり、これにより、床パネルを伝播する振動エネルギーを効率的に減衰させることが可能となる。
【０００８】
また、本発明は、スラブ上に所定間隔を隔てて配置される複数枚の下地パネルを含む床パネルを備えた二重床構造であって、
前記各下地パネルの端部間に掛け渡される連結部材を取り付け、パネル面と略直交する端面間に一定の隙間を設ける、という構成も採用することができる。このような構成によっても前述の目的を達成することができる他、下地パネルとは別部材となる連結部材を用いて各パネル部材を簡単に連結することが可能となる。
【０００９】
【発明の実施の形態】
本発明において、前記各下地パネルは、略相じゃくり構造により相互に係合する、という構成を採ることが好ましい。このような構成によれば、下地パネルに僅かな形状変更を加えるだけで、これらを相互に係合させることができる。しかも、下地パネルの下方に突出しない位置で連結できるので、換言すれば、下地パネルの厚み内で連結できるので、床パネルの高さ調整の自由度を高め、スラブと下地パネルとの間の空間の有効利用を図ることが可能となる。
【００１０】
また、前記各下地パネルは、前記隙間に跨がる片部材により連結される、という構成も採用することができる。このような構成を採れば、極めて簡易な構成により、下地パネル間の隙間を十分に確保でき、衝撃加振時に下地パネル間の隙間が拡がることを防止して床パネルの曲げ剛性を良好に維持することができる。
【００１１】
【実施例】
以下、本発明の実施例を図面を参照しながら説明する。
【００１２】
［第１実施例］
図１には、第１の実施例に係る二重床構造の仕上げパネルを省略した概略平面図が示され、図２には、図１のＡ−Ａ線矢視拡大断面図が示されている。これらの図において、コンクリート製のスラブＳの上面側で空間Ｃを形成する所定の高さ位置に床パネル１０を配置して二重床が形成されている。この床パネル１０は、前記スラブＳ上に設置されて床パネル１０の下面側に配置された複数の防振支持具１１を介して支持されている。
【００１３】
前記床パネル１０は、本実施例では、防振支持具１１に下面側から支持されるとともに、平面視略正方形状をなす複数枚の下地パネル１３と、その上面に敷設されたフローリング等からなる仕上げパネル１４との複層構造体によって構成されている。
【００１４】
前記下地パネル１３は、図３にも示されるように、略相じゃくり構造として隣り合う位置の下地パネル１３と相互に係合し合う対応形状に設けられている。具体的には、下地パネル１３のパネル面に略直交する端面、すなわち、四辺に沿う端面に段部１６を備えている。この段部１６は、上向段部１７と下向段部１８とからなり、上向段部１７は、下地パネル１３の図３（Ｂ）中下端面１３Ａ及び右端面１３Ｂにおける上面側を欠き取るように形成され、下向段部１８は、同図中上端面１３Ｃ及び左端面１３Ｄにおける下面側を欠き取るように形成されている。上向段部１７及び下向段部１８は、図３（Ｃ）に示されるように、略同一となる切欠幅Ｗに設定されている。また、上向段部１７の高さＨ１は、下向段部１８の高さＨ２より大きい寸法を備えており、下向段部１８上に隣り合う位置の下地パネル１３の上向段部１７が載置可能となっている。
【００１５】
前記防振支持具１１は、床パネル１０の下面側において、各下地パネル１３を跨ぐようにコーナー対応領域に配置されている。この防振支持脚１１は、下地パネル１３の下面側に位置する平面視略方形の受け板２０と、この受け板２０の中央部下面側に位置するとともに、上下方向に軸線が向けられた支持脚２１と、この支持脚２１を支えるゴム製の防振弾性体２２と、当該防振弾性体２２の外周側に装着されるとともに、金属若しくは樹脂製の略円筒状をなす錘部材２３とを構えて構成されている。
【００１６】
以上の構成において、床パネル１０を施工するときは、下地パネル１３の各コーナー領域を支持するように、相互に間隔を隔てて防振支持脚１１をスラブＳ上に配置した後、各下地パネル１３の上向段部１７及び下向段部１８が相互に係合し合うように各防振支持脚１１の受け板２０上に配置する。この配置作業は、下地パネル１３の各端面１３Ａ〜１３Ｄと、隣り合う下地パネル１３の段部１６における鉛直面との間に隙間Ｓ１が生じるようにして行われる。そして、相互に係合した状態の上向段部１７及び下向段部１８をねじ２５を介して上下方向に連結し、その後に仕上げパネル１４を下地パネル１３上に敷設することにより、床パネル１０の施工を完了することができる。
【００１７】
図４は、床パネル１０の床衝撃音実験結果を、各下地パネル１３に略相じゃくり構造を採用して相互に連結した場合と、前述した従来の仕上げパネル１４だけを介して各下地パネル１３を連結した場合と比較して示したものである。これらの図表から明らかなように、総じて、本発明による二重床構造が従来例よりも優れ、とりわけ、比較的高周波数域において優れていることが理解されるであろう。
【００１８】
従って、このような第１の実施例によれば、下地パネル１３を略相じゃくり構造とし、且つ、これらの間に一定の隙間Ｓ１を介して連結したので、衝撃加振時における音響インピーダンスの不連続が生じ易くなり、床パネル１０の振動伝達率を低く抑えることができる。また、音響インピーダンスの不連続性を維持できる範囲ならば隙間Ｓ１内の空間を利用してケーブル等を下地パネル１３と仕上げパネル１４との間に敷設することも可能となる。
【００１９】
次に、本発明の前記以外の実施例について説明する。なお、以下の説明において、前記第１の実施例と同一若しくは同等の構成部分については必要に応じて同一符号を用いるものとし、説明を省略若しくは簡略にする。
【００２０】
［第２実施例］
図５及び図６には、本発明の第２の実施例が示されている。この実施例は、下地パネル１３の各端面１３Ａ〜１３Ｄに突片２７及び受容部２８を設けて各下地パネル１３を相互に係合可能としたものである。
【００２１】
前記突片２７及び受容部２８は、前記各端面１３Ａ〜１３Ｄの下方領域における二箇所位置にそれぞれ設けられているとともに、各端面１３Ａ〜１３Ｄに沿って交互に位置するように形成されている。また、突片２７及び受容部２８は、平面視で略同一となる長方形状にそれぞれ形成されている一方、受容部２８は、下地パネル１３の下面側を開放するように設けられている。
【００２２】
以上の構成において、下地パネル１３を設置する場合、各突片２７を隣り合う位置の下地パネル１３の受容部２８に差し込みながら受け板２０上に配置する。このとき、図５に示されるように、突片２７の先端面と受容部２８の相対面との間に隙間Ｓ２を設けるとともに、隣り合う下地パネル１３の各端面１３Ａ〜１３Ｄとの間に隙間Ｓ３を設ける。この状態で、突片２７及びこれを受容する受容部２８の上方からねじ２９をねじ込むことにより、各下地パネル１３が相互に連結される。
【００２３】
従って、このような第２の実施例によれば、突片２７と受容部２８との間の隙間Ｓ２が交互に位置するため、音響インピーダンスをより一層不連続にすることができ、衝撃時における振動速度の低下を図ることが可能となる。また、突片２７及び受容部２８が交互に位置するので、各下地パネル１３が隣り合う位置の下地パネル１３と相互に支え合うようになり、床パネル１０全体の曲げ剛性を向上させることができる。
【００２４】
［第３実施例］
図７ないし図９には、本発明の第３の実施例が示されている。この第３の実施例は、各下地パネル１３の端部間に掛け渡される連結部材３１を介して下地パネル１３を相互に連結したものである。連結部材３１は、各下地パネル１３の端部間に設けられた隙間Ｓ４に沿って延びるとともに、前記隙間Ｓ４を下地パネル１３の下面側で跨る片部材により構成されている。連結部材３１の長手方向両端側は鋭角となる先細形状に設けられ、図７中上下及び左右方向から延びる連結部材３１を受け板２０上で相互に突き合わせ可能となっている。
【００２５】
以上の構成において、下地パネル１３を設置するときは、先ず、図９に示されるように、防振支持具１１間を掛け渡すように、連結部材３１を受け板２０上に配置した後、連結部材３１の上面に両面テープ３２（図８，図９参照）を貼付する。次に、隙間Ｓ４を介して各下地パネル１３を連結部材３１上に載せ、これらを両面テープ３２により接着する。そして、下地パネル１３と連結部材３１とが重なり合う位置にねじ３３をねじ込むことにより、前記隙間Ｓ４を確保しつつ各下地パネル１３が連結部材３０を介して相互に連結される。
【００２６】
従って、このような第３の実施例によっても、前述した実施例と同様の効果を得ることができる他、床パネル１０に衝撃が加えられたときに隙間Ｓ４の下側が拡がることを確実に防止でき、歩行感を良好に改善することが可能となる。
【００２７】
［第４実施例］
図１０及び図１１には、本発明の第４の実施例が示されている。この第４の実施例は、連結部材３５を受け板２０上に載せることなく下地パネル１３に取り付けたものである。すなわち、連結部材３５は、各受け板２０の間に位置するとともに、各下地パネル１３間の隙間Ｓ５に沿って延びる平面視略長方形状に設けられている。その他の構成は、実質的に、前記第３の実施例と略同様となっている。従って、この実施例によっても、前述と同様の作用、効果を発揮することができる。
【００２８】
なお、前記連結部材３１，３５の形状若しくは取付位置は、前記実施例に限定されるものでなく、種々の設計変更が可能である。例えば、図１２に示されるように、下地パネル１３の各端面１３Ａ〜１３Ｄにおける上面側を欠き取って段部３７を形成し、これら段部３７間を掛け渡すように連結部材３８を取り付けてもよい。これにより、下地パネル１３の上下両面側に隙間を確保しつつ、連結部材３７を下面側から支えた状態で下地パネル１３間に容易に取り付けることが可能となる。また、図１３に示されるように、連結部材３９を横断面視略凸状に形成し、下地パネル１３の厚みより低くなるリブ３９Ａを上面に備えた形状としてもよい。これによれば、下地パネル１３の各端面１３Ａ〜１３Ｄによりリブ３９Ａを挟み込むことで下地パネル１３間の隙間を容易に一定間隔に保つことができる。要するに、本発明は、各下地パネル１３の端面間に隙間を確保しつつ相互に隣り合う下地パネル１３を連結する構成であれば足りる。
【００２９】
また、前記各実施例において、ねじ２５，２９，３３を用いて下地パネル１３を相互に連結したが、これに限定されるものでなく、接着剤や両面テープ、釘等を用いてもよい。
【００３０】
【発明の効果】
以上説明したように、本発明は、各下地パネルのパネル形状を隣り合う位置の下地パネルと相互に係合し合う対応形状に設けるとともに、パネル面と略直交する端面間に一定の隙間を設けたから、床パネルに衝撃が加えられたときに、当該隙間の拡がりを抑制して床パネルの曲げ剛性を高めることができる。しかも、隙間により床パネルの音響インピーダンスが不連続となるため、振動エネルギーを減衰して遮音性能を向上させることが可能となる。また、下地パネルの端部間に掛け渡される連結部材を取り付け、パネル面と略直交する端面間に一定の隙間を設けた場合にも、前述と同様の効果を得ることができる。
【００３１】
また、各下地パネルを略相じゃくり構造として相互に連結した場合には、簡易な構成により、各下地パネルを相互に係合することができるばかりでなく、下地パネルの下面より突出しない位置で連結でき、床パネルの高さ調整幅を拡大することが可能となる。
【００３２】
更に、各下地パネルは、下地パネル間の隙間に跨がる片部材により連結されるので、衝撃加振時に下地パネル間の隙間が拡がることを防止して床パネルの曲げ剛性を良好に維持することができる。
【図面の簡単な説明】
【図１】第１の実施例に係る二重床構造の仕上げパネルを省略した概略平面図。
【図２】図１のＡ−Ａ線矢視拡大断面図。
【図３】（Ａ）は第１の実施例の下地パネルの概略斜視図、（Ｂ）は（Ａ）の平面図、（Ｃ）は（Ａ）の正面図。
【図４】前記実施例による軽量床衝撃音実験結果を示す線図。
【図５】第２の実施例に二重床構造を示す図１と同様の平面図。
【図６】（Ａ）は第２の実施例の下地パネルの概略斜視図、（Ｂ）は（Ａ）の平面図、（Ｃ）は（Ａ）の正面図。
【図７】第３の実施例に二重床構造を示す図１と同様の平面図。
【図８】図７のＢ−Ｂ線矢視拡大断面図。
【図９】第３の実施例の施工要領を示す説明図。
【図１０】第４の実施例に二重床構造を示す図１と同様の平面図。
【図１１】図１０のＣ−Ｃ線矢視拡大断面図。
【図１２】変形例に係る二重床構造の要部拡大断面図。
【図１３】他の変形例に係る二重床構造の要部拡大断面図。
【図１４】従来例に係る二重床構造の概略斜視図。
【符号の説明】
１０・・・床パネル、１３・・・下地パネル、３１，３３・・・連結部材（片部材）、Ｓ・・・スラブ、Ｓ１，Ｓ２，Ｓ３，Ｓ４，Ｓ５・・・隙間
【図１】
2004060204.tif 000003
【図２】
2004060204.tif 000004
【図３】
2004060204.tif 000005
【図４】
2004060204.tif 000006
【図５】
2004060204.tif 000007
【図６】
2004060204.tif 000008
【図７】
2004060204.tif 000009
【図８】
2004060204.tif 000010
【図９】
2004060204.tif 000011
【図１０】
2004060204.tif 000012
【図１１】
2004060204.tif 000013
【図１２】
2004060204.tif 000014
【図１３】
2004060204.tif 000015
【図１４】
2004060204.tif 000016